(57)【要約】【課題】  最大電力が異なる複数の電源を切替えて使用できるカメラにおいて、最大電力が比較的低い電源を使用する場合でも、最大電力が最も高い電源を使用する場合と同種の機能を実現する。【解決手段】  最大電力が比較的低い電源を使用する場合には、パン、チルトズームの速度を遅くしたり、照明電力を抑える。また、複数機能の同時実行を制限する。【選択図】図１
2006319532.tif 000002
【特許請求の範囲】
【請求項１】
撮像光学系により結像した被写体像を電気映像信号に変換する撮像手段と、
第１および第２の電源供給系統からの電源供給が可能な電源手段と、
を備えた撮像装置において、
第１の電源供給系から電源供給された場合と第２の電源供給系から電源供給された場合とは、異なる制御モードで動作することを特徴とする撮像装置。
【請求項２】
電源供給系統を検出する電源供給源検出手段を備え、該電源供給源検出手段の検出結果に基づいて前記制御モードを設定することを特徴とする請求項１に記載の撮像装置。
【請求項３】
撮像光学系により結像した被写体像を電気映像信号に変換する撮像手段と、
複数の電源供給系からの電源供給が可能な電源手段と、
を備えた撮像装置において、
電源供給する電源供給源が供給可能な最大電力情報を検出する最大電力検出手段と、
当該撮像装置の消費電力を機能別に分割した機能別消費電力情報を記憶する機能別消費電力情報記憶手段と、
前記機能別消費電力情報記憶手段の情報に基づいて、同時に実行させる機能を、前記最大電力検出手段から得られた最大電力を超えない範囲で選択または設定して当該撮像装置の動作を制御する制御手段と、
を備えることを特徴とする撮像装置。
【請求項４】
前記電源供給系統の１つはＰＯＥであることを特徴とする請求項１〜３のいずれか１つに記載の撮像装置。
【請求項５】
撮像光学系により結像した被写体像を電気映像信号に変換する撮像手段と複数の電源供給系からの電源供給が可能な電源手段とを備えた撮像装置と、
前記撮像装置の外部から該撮像装置の動作制御を行なう外部制御装置と、
前記撮像装置と前記外部制御装置との間で情報通信を行なう情報通信手段と、
前記撮像装置の消費電力を機能別に分割した機能別消費電力情報を記憶する機能別消費電力情報記憶手段と、
を備え、
前記外部制御装置は、前記機能別消費電力情報に基づいて、前記撮像装置の操作制御を行なうことを特徴とする撮像システム。
【請求項６】
前記外部制御装置は、前記撮像装置に電源供給する電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御することを特徴とする請求項５に記載の撮像システム。
【請求項７】
前記機能別消費電力情報記憶手段は前記撮像装置に備えられ、前記撮像装置は前記情報通信手段を用いて前記機能別消費電力情報を前記外部制御装置へ通知することを特徴とする請求項５または６に記載の撮像システム。
【請求項８】
前記撮像装置は、前記機能別消費電力情報の伝送を、電源起動時に行なうことを特徴とする請求項７に記載の撮像システム。
【請求項９】
前記撮像装置は、前記機能別消費電力情報の伝送を、前記外部制御装置からの伝送要求に基づいて行なうことを特徴とする請求項７に記載の撮像システム。
【請求項１０】
前記機能別消費電力情報記憶手段は、前記外部制御装置に備えられ、かつ撮像装置の機種ごと個別に規定されており、前記撮像装置は前記情報通信手段を用いて、撮像装置の機種を特定する撮像装置機種識別情報を前記外部制御装置へ通知し、前記外部制御装置は、前記撮像装置に電源供給する電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御することを特徴とする請求項５の撮像システム。
【請求項１１】
前記撮像装置は、前記撮像装置機種識別情報の伝送を、電源起動時に行なうことを特徴とする請求項１０に記載の撮像システム。
【請求項１２】
前記撮像装置は、前記撮像装置機種識別情報の伝送を、前記外部制御装置からの伝送要求に基づいて行なうことを特徴とする請求項１０に記載の撮像システム。
【請求項１３】
前記電源供給系統の１つがＰＯＥであることを特徴とする請求項６〜１２のいずれか１つに記載の撮像システム。
【請求項１４】
請求項７〜９のいずれか１つに記載の撮像装置。
【発明の詳細な説明】
【技術分野】
【０００１】
本発明は、ＰＯＥ（Ｐｏｗｅｒ  Ｏｖｅｒ  Ｅｔｈｅｒｎｅｔ）の信号ケーブル等の信号伝達手段を介して電源を供給する、いわゆる電源重畳により電源供給される撮像装置および撮像システムに関するものである。
【背景技術】
【０００２】
従来、監視カメラはＣＣＴＶ（Ｃｌｏｓｅｄ−Ｃｉｒｃｕｉｔ  ＴＶ）と呼ばれるカメラを使用し、ビデオケーブルによりＮＴＳＣ等の映像信号を出力し、それをタイムラプスレコーダで記録するとともにモニタで監視している。またこのビデオケーブルにて電源を供給するもの、いわゆる電源重畳方式カメラも実用化されている。
【０００３】
近年、ネットワークによる監視カメラが普及してきた。ネットワークで監視することにより、単にモニタによる監視だけでなく、入退室システム等のセキュリティとも連携でき、よりこまやかでかつ、安心できる監視システムが実現できるようになってきた。
【０００４】
ネットワークにおいてもＬＡＮケーブルを使ったＰＯＥ（Ｐｏｗｅｒ  Ｏｖｅｒ  Ｅｔｈｅｒｎｅｔ）でカメラに電源供給できる方式が開発され、外部電源なしにカメラを駆動できるものが実用化されている。特に監視カメラの場合、外部電源が設置されていない屋外にも設置せねばならないために、電源重畳は単に配線等の煩わしさを解消するだけでなく、外部電源の設置費用も不要となり、市場での要望が高い。
一方で、監視カメラは多機能になり、ＡＦ（Ａｕｔｏ  Ｆｏｃｕｓ）や電動ズーム可能なレンズを搭載したものやパンおよびチルト駆動もできるものが実用化されている。
【０００５】
ＰＯＥにおける外部機器の規格上の上限は１２．９５Ｗであるが、余裕を考慮した場合、１０Ｗ程度が上限となる。カメラの消費電力は、機能の仕様によって異なるが、代表的なものでは、映像出力に２．５Ｗ、映像および信号通信に２Ｗ、フォーカスに０．７Ｗ、ズームに０．８Ｗ、パンに３Ｗ、チルトに３Ｗ、ＩＲカット切替に０．７Ｗで全て一緒に駆動した場合は合計約１３Ｗ必要である。なお、これまでは、ＰＯＥでパンあるいはチルト機能ができるものは無かったので、このような問題は認識されていなかった。
【０００６】
また、特許文献１（特開２００２−１３１８０６号公報）に開示されているものはＵＳＢで電源供給が行なわれ、パン駆動およびチルト駆動は行なわれているものの、ＡＦやズームといった機能は無く、消費電力を極力押えるために像の歪みや画像を犠牲にしている。特許文献２（特開平８−２７９９５２号公報）で開示されているものはパンおよびチルトについて記述しているものの、雲台装置単体に関するもので、映像出力等については記述されていない。また、電池等による電源電圧が低下した場合について、記述したものである。
【特許文献１】特開２００２−１３１８０６号公報
【特許文献２】特開平８−２７９９５２号公報
【発明の開示】
【発明が解決しようとする課題】
【０００７】
多機能なカメラはモータを使用して各機能を駆動しているために多くの電力供給が必要であるが、ＰＯＥ等の電源重畳では多くの電力供給をすることは出来ないという問題がある。また、監視カメラでは設置環境により電源種別が異なり、前記のようなＰＯＥによる簡易電源設定の場合もあれば、専用ＡＣアダプタを使用した設置環境のように電源容量に余裕がありカメラが備える動作性能を最大限に使用できる場合もあるなど、電源環境は多種多様であり、そのさまざまな設置電源環境に同一のカメラで対応できるものが無かった。
【０００８】
本発明の第１の課題は、ＰＯＥ等の電源重畳方式で供給電力が少ない状況でも、監視カメラ等の撮像装置として必須である映像出力を損なうことなく、十分な電力供給がある従来の外部電源用の撮像装置に対しても機能の劣ることがない、像歪や画像を犠牲にすることがない多機能な撮像装置を提供することにある。
また本発明の第２の課題は、専用ＡＣアダプタ等を使用した供給電力が十分な設置環境であっても、ＰＯＥ等の電源重畳方式で供給電力が少ない状況であっても、その電源環境に応じた最大限のカメラ性能を同一のカメラで実現することにある。
【課題を解決するための手段】
【０００９】
上記の課題を解決するために、本発明に係る第１の撮像装置は、撮像光学系により結像した被写体像を電気映像信号に変換する撮像手段と、第１および第２の電源供給系統からの電源供給が可能な電源手段と、を備えた撮像装置において、第１の電源供給系から電源供給された場合と第２の電源供給系から電源供給された場合とは、異なる制御モードで動作することを特徴とする。ここで、好ましくは、電源供給系統を検出する電源供給源検出手段を備え、該電源供給源検出手段の検出結果に基づいて前記制御モードを自動設定する。電源供給源検出手段は、例えば専用ＡＣアダプタのプラグの抜き差しに応じてオンオフするスイッチ、またはＡＣ電源のオンオフを検出するものを用いることができる。
【００１０】
本発明に係る第２の撮像装置は、撮像光学系により結像した被写体像を電気映像信号に変換する撮像手段と、複数の電源供給系からの電源供給が可能な電源手段と、を備えた撮像装置において、電源供給する電源供給源が供給可能な最大電力情報を検出する最大電力検出手段と、当該撮像装置の消費電力を機能別に分割した機能別消費電力情報を記憶する機能別消費電力情報記憶手段と、前記機能別消費電力情報記憶手段の情報に基づいて、同時に実行させる機能を、前記最大電力検出手段から得られた最大電力を超えない範囲で選択または設定して当該撮像装置の動作を制御する制御手段と、を備えることを特徴とする。
【００１１】
本発明に係る第３の撮像装置は、撮像システムを構成するのに好適なもので、撮像光学系により結像した被写体像を電気映像信号に変換する撮像手段と、複数の電源供給系からの電源供給が可能な電源手段と、を備えた撮像装置において、当該撮像装置の消費電力を機能別に分割した機能別消費電力情報を記憶する機能別消費電力情報記憶手段と、当該撮像装置の外部から当該撮像装置の動作制御を行なう外部制御装置との間で情報通信を行なう情報通信手段と、を備え、前記機能別消費電力情報を前記情報通信手段を用いて前記外部制御装置へ通知することを特徴とする。
【００１２】
本発明に係る撮像システムは、撮像光学系により結像した被写体像を電気映像信号に変換する撮像手段と複数の電源供給系からの電源供給が可能な電源手段とを備えた撮像装置と、前記撮像装置の外部から該撮像装置の動作制御を行なう外部制御装置と、前記撮像装置と前記外部制御装置との間で情報通信を行なう情報通信手段と、前記撮像装置の消費電力を機能別に分割した機能別消費電力情報を記憶する機能別消費電力情報記憶手段と、を備え、前記外部制御装置は、前記機能別消費電力情報に基づいて、前記撮像装置の操作制御を行なうことを特徴とする。
【００１３】
ここで、機能別消費電力情報記憶手段は、撮像装置と外部制御装置のどちらに設けてもよい。撮像装置に設ける場合、該撮像装置の電源起動時、または前記外部制御装置からの伝送要求に基づいて、該撮像装置から前記外部制御装置へ前記機能別消費電力情報の伝送を行なう。また、前記外部制御装置は、例えば、前記撮像装置に電源供給する電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御する。
【００１４】
また、前記外部制御装置に設ける場合、前記機能別消費電力情報記憶手段は撮像装置の機種ごと個別に規定されており、前記撮像装置は前記情報通信手段を用いて、撮像装置の機種を特定する撮像装置機種識別情報を前記外部制御装置へ通知し、前記外部制御装置は、前記撮像装置に電源供給する電源供給源が供給可能な最大電力情報と前記機能別消費電力情報とに基づいて、前記撮像装置に同時に実行させる機能を、前記最大電力検出手段から得られた最大電力を超えない範囲で選択または設定して前記撮像装置の動作を制御する。この場合、前記撮像装置は、前記撮像装置機種識別情報の伝送を、電源起動時、または前記外部制御装置からの伝送要求に基づいて行なう。
【発明の効果】
【００１５】
本発明の撮像装置または撮像システムによれば、撮像装置に供給されている電源供給系統に合わせて撮像装置の制御方法を切替え、適切な制御を行なうことで、同一の撮像装置であってもその電源供給能力の範囲内で性能を最大限に実現可能にすることができる。
【実施例】
【００１６】
以下、本発明の実施例を図面を用いて説明する。
［第１の実施例］
図１は本発明の第１実施例に係るカメラ（撮像装置）の概略構成を示すブロック図である。図１において、基本的な映像信号の流れは、撮像レンズ１にて撮像した被写体像が、ＣＣＤ２、ＣＣＤ制御回路３、映像信号処理回路４および映像信号出力回路５を経てカメラ１００から外部機器（不図示）に映像信号として出力される。撮像レンズ１は被写体（不図示）からの反射光を集光し、ＣＣＤ２の面上に被写体像を結像させる働きをする。カメラ１００は、また図中には示していないが、複数枚の羽により構成され被写体の明るさを適宜調整するための絞り機構、被写体像を所望の大きさに調整するためのズームレンズ機構、被写体像をＣＣＤ面上に結像させるためのフォーカスレンズ機構等を備える。
【００１７】
撮像レンズ１によりＣＣＤ面上に結像した被写体像は、ＣＣＤ２の光電変換機能により電気信号へと変換され、映像信号処理回路４でカメラ画像情報分析、色処理、ガンマ処理、エフェクト処理等、一連の映像信号処理が行なわれ、続く映像信号出力回路５にて映像信号フォーマットに変換され出力される。
【００１８】
カメラ制御回路６は撮像レンズ１に装備されていて図中には示していない絞り機構制御、ズームレンズ機構制御、フォーカス機構制御、さらにはＣＣＤから後段に装備されているＣＣＤ制御回路３への制御指示、映像信号処理回路４への映像処理指示、映像信号出力回路５への映像フォーマットに変換するための指示など、カメラ全体の制御を集中的に行なっている。また７はカメラ制御モード記憶手段であり、少なくとも２系統以上の電源供給系統の供給電力量に適応させた最適なカメラ制御モードを記憶しており、カメラ制御回路６からの要求により格納されている各カメラ制御モード情報を取り出すことができる構成となっている。
【００１９】
またカメラ電源部２０を構成する要素として、電源供給系統検出手段１１は、カメラに備えられている少なくとも２系統以上の電源供給系統において、各電源供給系統からの電源供給状況を検出する手段であり、検出結果はカメラ制御回路６に通知する。カメラ制御回路６は、電源供給系統検出手段１１から得られた電源供給系統情報に基づいて最適な電源供給系統の選択判断を行ない、電源選択手段１２に選択命令を出す。さらに電源選択手段１２は、カメラ制御回路６からの選択命令を受け、少なくとも２系統以上の電源供給系統から、１系統の電源供給系統を選択する。その後に続く各種電源生成回路１３は電源選択手段１２により選択供給された電源供給系統からの電力をカメラ１００に必要な各電圧値に変換し、カメラ１００の各部位に供給するためのものである。
【００２０】
また、図中に示した代表的なカメラ電源部２０に供給される少なくとも２系統以上の電源供給系統として、ＡＣアダプタ２００からの電源供給系統１とネットワークあるいは情報通信ケーブル３００からの電源重畳供給系統２を挙げている。ここでのＡＣアダプタからの供給系統１は、カメラ機能を最大限に動作可能な十分な電力を供給できる電源供給系統を意味しており、対してネットワークあるいは情報通信ケーブル３００からの電源重畳供給系統２は前記電源供給系統１よりも供給電力量が少なく、カメラ機能を最大限に動作させるのに必要な電力を供給できない電源供給系統を意味している。上述した従来例ではＰＯＥの供給電力の規格上の上限が１２．９５Ｗであるのに対し、カメラの最大消費電力は１３Ｗであった。
以上の構成により、電源供給源検出手段１１からの情報に基づき、少なくとも２つのカメラ制御モードの中から電源供給系統に対応した制御モードを適用させ、各カメラ機能を実現させる。
【００２１】
次に図２のフローチャートを用いて、図１のカメラ１００における、電源系統の検出結果に基づいてカメラ制御回路６により最適なカメラ制御モードを適用させる動作について説明する。
まずステップＳ１００で電源供給系統の検出を行なう。以降この電源供給系統の検出結果に基づき、カメラ機能をより高性能に動作可能な電源供給系統の順に判定を行なっていく。まずステップＳ１０１では最優先制御モードの第１制御モードを適用可能である第１の電源供給系統かの判定を行なう。ここで第１の電源供給系統であった場合には、続くステップＳ１０２にて第１制御モードをカメラ制御モードに適用させる。カメラ制御モード適応手順は、カメラ制御回路６にて適用カメラ制御モードが決定されると、カメラ制御モード記憶手段７に記憶されている各カメラ制御モード種別とその種別に対応した制御方法情報を参照し、この情報中の第１制御モードに対応した制御方法を適用させ、カメラ制御回路６はこの情報に基づきカメラ各機能の制御を行なう。
【００２２】
一方、ステップＳ１０１で第１の電源供給系統でなかった場合には続くステップＳ１０３にて、第１の電源供給系統についで優先的に動作可能な電源供給系統である第２の電源供給系統かを判断する。以降第１の電源供給系統の適用ケースと同様に順次判断を行なっていき、電源供給系統の検出結果に対応したカメラ制御モードを適用させる。図３は、カメラ制御モード記憶手段７に記憶されている各カメラ制御モード種別とその種別に対応した制御方法情報を示すテーブルである。
【００２３】
ここで、図３のテーブルにおけるカメラ制御モードの一例について説明する。テーブル中、第１制御モードは第２制御モードよりもカメラ機能をより高性能に動作可能な制御モードである。制御方法項の各機能別に見ていくと、パン速度、チルト速度、ズーム速度、赤外照明、および各機能の同時動作の面で第１制御モードが高性能である。つまり、パン速度、チルト速度、ズーム速度は、第２制御モードよりも第１制御モードの方が速く、赤外照明は、第１制御モードの方が明るい。また、第１制御モードでは、パン、チルト、ズームおよび赤外照明の同時動作が可能であるが、第２制御モードでは、パン、チルト、ズームおよび赤外照明はそれぞれ単独でしか動作できない。
このように、第２制御モードは第１制御モードに比べて各性能を下げてはいるが、カメラ機能を最大限に動作させるのに必要な電力供給でない状況であっても各機能の性能を抑えることで限られた電力範囲内で各カメラ機能を実現できる制御モードである。なお、図３のテーブルでは、ＡＦ（焦点）機能とＡＥ（しぼり）機能は、第１制御モードと第２制御モードとで性能に差をつけていないが、図３のような性能制限をしても第２の電源供給系統の最大供給電力が不足するなど、必要ならば、他の機能と同様に差を設けてもよい。
【００２４】
なお、ここでの第１電源供給系統はフローチャート順で以下に続く第２〜第Ｎ電源供給系統よりも優先的に使用される構成になっており、その優劣順位はカメラの設置環境における電源配線の容易さと供給可能電力の大小、およびカメラ機能の実現能力により適宜最適化を行なっていくことが望ましい。
以上のように、電源供給源検出手段からの情報に基づき、少なくとも２つのカメラ制御モードの中から電源供給系統に対応した制御モードを適用させることで、同一カメラであっても、その電源供給状況の範囲内でカメラ性能を最大限に実現することができる効果がある。
【００２５】
［第２の実施例］
図４は本発明の第２実施例に係る撮像装置（カメラ）の概略構成を示すブロック図である。図４のカメラ１００は、第１の実施例を示す図１のカメラ１００に対し、カメラ制御モード記憶手段７を除去し、代わりに機能別消費電力記憶手段８と最大電力検出手段９を付加したものである。なお、図４において、図１と共通または対応する部分は図１と同じ符号を付してある。
【００２６】
図４において、機能別消費電力記憶手段８は、カメラ１００の消費電力を各機能ごとに分割したカメラ機能別消費電力情報を記憶しており、カメラ制御回路６からの要求により格納されているカメラ機能別消費電力情報を取り出すことができる構成となっている。また最大電力検出手段９は、カメラ機能を最大限に動作させるのに必要な電力を供給できない電源供給系統２の最大供給電力を検出するためのものであり、検出結果はカメラ制御回路６に通知する。
【００２７】
つまり、最大電力検出手段９は、ＡＣアダプタ２００を想定した供給系統１、つまりカメラ機能を最大限に動作可能な十分な電力を供給できる電源供給系統とは異なり、ネットワークあるいは情報通信ケーブル３００からの電源重畳を想定した、前記電源供給系統１よりも供給電力量が少なく、カメラ機能を最大限に動作させるのに必要な電力を供給できない電源供給系統２の供給可能電力を検出するための手段である。これは、ネットワークあるいは情報通信ケーブル３００からの情報通信によりカメラ外部から伝送される形態、あるいは電源電流または電源電圧のシーケンス情報により電源供給源から通知される形態などにより実施可能である。
以上の構成により、機能別消費電力記憶手段に記憶されたカメラ機能別消費電力情報と、最大電力検出手段から通知された電源供給系統の最大供給電力情報に基づいて、適切なカメラ制御を実行する。
【００２８】
次に図５のフローチャートを用いて、機能別消費電力記憶手段に記憶されたカメラ機能別消費電力情報と、最大電力検出手段から通知された電源供給系統の最大供給電力情報に基づいたカメラ制御について説明する。
まずステップＳ２００にてカメラ操作要求が発生したかを判定する。カメラ操作要求があった場合は、続くステップＳ２０１にて最大電力検出手段から得られる最大電力Ｐｍａｘを検出し、続くステップＳ２０２では機能別消費電力記憶手段に記憶されている機能別消費電力情報の積算を行なうことで現在の消費電力Ｐ１を算出する。続いてステップＳ２０３ではカメラ操作要求のあった機能を実行するために必要な電力Ｐ２を機能別消費電力情報に基づいて同様に算出する。
【００２９】
続くステップＳ２０４では、カメラ操作要求のあった機能を実行するために必要な電力Ｐ２が、カメラ総消費電力が最大電力Ｐｍａｘを超えない範囲で使用できる現在の余剰電力（Ｐｍａｘ−Ｐ１）に対して少ないか否かを判定し、少ない場合は続くステップＳ２０５にてカメラ操作要求のあった動作（以下、要求動作という）を実行する。一方、余剰電力を超えてしまう場合は、ステップＳ２０６にて要求動作を拒否し、続くステップＳ２０７にて要求動作に対するリカバリ処理を行なう。
【００３０】
このリカバリ処理については図６のリカバリ処理詳細フローチャートで説明する。まずＳ５００にて拒否された要求動作の優先度を確認する。優先性がある場合にはステップＳ５０１で現在動作している他の機能の内、一時的に動作停止できる機能が含まれるかを判断する。ここで一時停止可能な機能Ｆ１がある場合にはステップＳ５０２にて機能Ｆ１を一時停止し、ステップＳ５０３にて要求動作を実行する。その後要求動作が動作完了した後に、ステップＳ５０４にてステップＳ５０２で一時停止した機能Ｆ１を再開させる。
【００３１】
また、ステップＳ５０１にて一時停止可能機能が無かった場合には、ステップＳ５０５に進み要求動作が性能制限で実施可能か否かを判定する。性能制限で実施可能な場合にはステップＳ５０６にて機能別消費電力記憶手段内に記憶されている（制限率）対（消費電力）情報に基づいて制限率の算出を行ない、続くステップＳ５０７にて制限率を適応させた要求動作を実行する。
以上のように、機能別消費電力記憶手段に記憶されたカメラ機能別消費電力情報と、最大電力検出手段から通知された電源供給系統の最大供給電力情報に基づいて、適切なカメラ制御を行なうことで、同一カメラであってもその電源供給状況の範囲内でカメラ性能を最大限に実現することができる効果がある。
【００３２】
［第３の実施例］
図７は本発明の第３実施例に係る撮像装置（カメラ）の概略構成を示すブロック図である。図７のカメラ１００は、第２の実施例を示す図４のカメラ１００に対し、最大電力検出手段９を除去し、代わりに外部カメラ制御手段４００との通信手段１０を付加したものである。なお、図７において、図１および図４と共通または対応する部分は図１および図４と同じ符号を付してある。
図７において、情報通信手段１０は、カメラ装置１００と外部カメラ制御手段４００との間で情報通信を行なう機能を有している。また、外部カメラ制御手段４００はネットワークあるいは情報通信ケーブル３００により、カメラ制御情報伝送、カメラ映像情報伝送、カメラ駆動電源供給などを実施可能な構成となっている。機能別消費電力記憶手段８は、カメラの消費電力を各機能ごとに分割したカメラ機能別消費電力情報を記憶しており、カメラ制御回路６からの要求により格納されているカメラ機能別消費電力情報を取り出し、必要に応じて通信手段１０を用いて外部カメラ制御手段へその情報を伝送することも可能な構成となっている。
【００３３】
また、図７のカメラは第２実施例（図４）で有していた最大電力検出手段９を装備しなくとも、電源供給系統２の供給可能電力情報は、外部カメラ制御手段で持つことができ、外部カメラ制御手段ではこの供給可能電力情報に基づいてカメラ操作制御を行なう。ここで、電源供給系統２は、ＡＣアダプタ２００を想定した供給系統１、つまりカメラ機能を最大限に動作可能な十分な電力を供給できる電源供給系統とは異なり、ネットワークあるいは情報通信ケーブル３００からの電源重畳を想定した、前記電源供給系統１よりも供給電力量が少なく、カメラ機能を最大限に動作させるのに必要な電力を供給できないものである。
【００３４】
以上の構成により、外部カメラ制御手段４００は、通信手段１０を用いてカメラ１００側から取得したカメラ内の機能別消費電力記憶手段８に記憶されたカメラ機能別消費電力情報と、電源供給系統の最大供給電力情報に基づいて、適切なカメラ制御を実行する。
【００３５】
次に図８のフローチャートを用いて、通信手段１０を用いてカメラ１００側から取得したカメラ機能別消費電力情報と、電源供給系統の最大供給電力情報に基づいた外部カメラ制御手段４００の処理ついて説明する。
まずステップＳ４００にてカメラ操作要求が発生したかを外部カメラ制御手段で判定する。カメラ操作要求があった場合は、続くステップＳ４０１にて最大電力情報から得られる最大電力Ｐｍａｘを確認し、続くステップＳ４０２では通信手段を用いてカメラ側から取得したカメラ機能別消費電力情報の積算を行なうことで現在の消費電力Ｐ１を算出する。続いてステップＳ４０３ではカメラ操作要求のあった機能を実行するために必要な電力Ｐ２を機能別消費電力情報に基づいて同様に算出する。
【００３６】
続くステップＳ４０４では、カメラ操作要求のあった機能を実行するために必要な電力Ｐ２が、カメラ総消費電力が最大電力Ｐｍａｘを超えない範囲で使用できる現在の余剰電力（Ｐｍａｘ−Ｐ１）に対して少ないか否かを判定し、少ない場合は続くステップＳ４０５にてカメラ操作要求のあった動作（要求動作）を実行する。一方、余剰電力を超えてしまう場合は、ステップＳ４０６にて要求動作の実行を拒否し、続くステップＳ４０７にて要求動作に対するリカバリ処理を行なう。このリカバリ処理については第２実施例で説明したのと同様に図６のリカバリ処理詳細フローチャートの手順で実施される。
【００３７】
また、外部カメラ制御手段が通信手段を用いてカメラ側から取得するカメラ機能別消費電力情報の伝送手順を図９を用いて説明する。ステップＳ３００にて伝送開始条件の確認を行なう。これは電源起動して所定時間後のカメラ側からのイベント発生により伝送実行を行なうか、もしくは外部カメラ制御手段側からの転送要求を受信した場合にこの要求に応じる形で情報伝送を行なう。情報伝送条件が整った場合には続くステップＳ３０１にてカメラ制御回路は機能別消費電力記憶手段から機能別消費電力情報を取得し、続くステップＳ３０２にて通信手段を用いて外部カメラ制御手段へと情報伝送を実行する。
【００３８】
以上のように、外部カメラ制御手段が、通信手段を用いてカメラ側から取得したカメラ内の機能別消費電力記憶手段に記憶されたカメラ機能別消費電力情報と、電源供給系統の最大供給電力情報に基づいて、適切なカメラ制御を行なうことで、同一カメラであってもその電源供給状況の範囲内でカメラ性能を最大限に実現することができる効果がある。
【図面の簡単な説明】
【００３９】
【図１】本発明の第１の実施例に係る撮像装置の概略構成を示すブロック図である。
【図２】図１に示される撮像装置の動作を制御するフローチャートである。
【図３】図１に示される撮像装置におけるカメラ制御モードの一例を示すテーブルである。
【図４】本発明の第２の実施例に係る撮像装置の概略構成を示すブロック図である。
【図５】図４に示される撮像装置の動作を制御する全体フローチャートである。
【図６】図５の全体フローチャート中のリカバリ処理詳細フローチャートである。
【図７】本発明の第３の実施例に係る撮像装置の概略構成を示すブロック図である。
【図８】図７に示される撮像装置の動作を制御する全体フローチャートである。
【図９】カメラから外部カメラ制御手段への通信フローチャートである。
【符号の説明】
【００４０】
１:撮像レンズ
２:ＣＣＤ
３:ＣＣＤ制御回路
４:映像信号処理回路
５:映像信号出力回路
６:カメラ制御回路
７:カメラ制御モード記憶手段
８:機能別消費電力記憶手段
９:最大電力検出手段
１０:情報通信手段
１１:電源供給系統検出手段
１２:電源選択手段
１３:各種電源生成回路
２０:カメラ電源部
１００:カメラ
２００:ＡＣアダプタ（第１の電源供給系）
３００:ネットワークあるいは情報通信ケーブル
４００:外部カメラ制御手段
【図１】
2006319532.tif 000003
【図２】
2006319532.tif 000004
【図３】
2006319532.tif 000005
【図４】
2006319532.tif 000006
【図５】
2006319532.tif 000007
【図６】
2006319532.tif 000008
【図７】
2006319532.tif 000009
【図８】
2006319532.tif 000010
【図９】
2006319532.tif 000011